(57)【要約】【課題】スムーズな動画像の表示が可能な電気光学装置用駆動回路及び駆動方法並びに電気光学装置及び電子機器を提供する。【解決手段】制御回路４００は、電気光学装置１０に入力される動画像データＤinのフレーム周期Ｔfを検出するＩＦ回路４０２と、フレーム周期Ｔfと液晶パネル１００の垂直走査周期Ｔvとを比較する差分回路４０４と、垂直走査周期Ｔvを制御する発振回路４０５とを具備し、前記垂直走査周期Ｔvと前記フレーム周期Ｔfとが等しくない場合に、垂直走査周期Ｔvを、フレーム周期Ｔfの１／ｎ（ｎは自然数）と等しくなるように制御する。【選択図】図５
2007298801.tif 000002
【特許請求の範囲】
【請求項１】
複数の走査線と、複数のデータ線と、前記複数の走査線と前記複数のデータ線との交差
に対応して設けられた複数の画素とを具備する電気光学装置の電気光学装置用駆動回路で
あって、
前記電気光学装置に入力される動画像データのフレーム周期を検出するフレーム周期検
出手段と、
前記フレーム周期と前記電気光学装置の垂直走査周期とを比較する比較手段と、
該比較手段による比較結果において、前記垂直走査周期と前記フレーム周期とが等しく
ない場合には、前記電気光学装置の前記垂直走査周期を制御して当該垂直走査周期を前記
フレーム周期の１／ｎ（ｎは自然数）に等しくする駆動周期制御手段と、を具備すること
を特徴とする電気光学装置用駆動回路。
【請求項２】
前記フレーム周期検出手段は、前記動画像データに含まれる垂直同期信号の周期から前
記フレーム周期を検出することを特徴とする請求項１に記載の電気光学装置用駆動回路。
【請求項３】
前記電気光学装置に前記動画像データが入力されていない場合においては、前記駆動周
期制御手段は、前記電気光学装置の前記垂直走査周期を所定の周期である基準垂直走査周
期とし、
前記電気光学装置に前記動画像データが入力されており、かつ前記基準垂直走査周期が
前記フレーム周期の１／ｎに等しい場合においては、前記駆動周期数制御手段は、前記電
気光学装置の前記垂直走査周期を、前記基準垂直走査周期とし、
前記電気光学装置に前記動画像データが入力されており、かつ前記基準垂直走査周期が
前記フレーム周期の１／ｎに等しくない場合においては、前記駆動周期制御手段は、前記
基準垂直走査周期をＴbとし、前記垂直走査周期をＴvとし、前記フレーム周期をＴfとし
た場合に、次式
ｍ・Ｔb＋α＝Ｔv＝Ｔf／ｎ；（ここで、ｍは自然数、αは０以外の値）
を満たし、かつαの絶対値が最小となるｍを選択することにより、前記電気光学装置の
前記垂直走査周期を、前記フレーム周期の１／ｎに等しくすることを特徴とする請求項１
又は２に記載の電気光学装置用駆動回路。
【請求項４】
前記基準垂直走査周期は、１／４５ｓｅｃであることを特徴とする請求項３に記載の電
気光学装置用駆動回路。
【請求項５】
請求項１から請求項４のいずれか一項に記載の電気光学装置用駆動回路を具備すること
を特徴とする電気光学装置。
【請求項６】
請求項５に記載の電気光学装置を具備することを特徴とする電子機器。
【請求項７】
複数の走査線と、複数のデータ線と、前記複数の走査線と前記複数のデータ線との交差
に対応して設けられた複数の画素とを具備する電気光学装置の電気光学装置用駆動方法で
あって、
前記電気光学装置に入力される動画像データのフレーム周期を検出する工程と、
前記フレーム周期と前記電気光学装置の垂直走査周期とを比較する工程と、
前記垂直走査周期と、前記フレーム周期とが等しくない場合に、前記電気光学装置の前
記垂直走査周期が、前記フレーム周期の１／ｎ（ｎは自然数）に等しくなるように制御す
る工程と、を具備することを特徴とする電気光学装置用駆動方法。
【発明の詳細な説明】
【技術分野】
【０００１】
本発明は、電気光学装置用駆動回路及び駆動方法並びに電気光学装置及び電子機器に関
し、複数の走査線と、複数のデータ線と、前記複数の走査線と前記複数のデータ線との交
差に対応して設けられた複数の画素とを有する電気光学装置の電気光学装置用駆動回路及
び駆動方法並びに電気光学装置及び電子機器に関する。
【背景技術】
【０００２】
近年、液晶装置等の電気光学装置である表示装置を備えた電子機器において、動画像を
表示する機能を備えたものが増加している。このような電子機器としては、例えば、メデ
ィアプレイヤーや携帯電話等が挙げられる。
【０００３】
例えば、特開２００２−１４３２１号公報に開示されている、電子機器に搭載する表示
装置では、リフレッシュレート（書換え周波数）を数通りに可変させることで、低消費電
力化と動画像のスムーズな表示を可能としている。
【特許文献１】特開２００２−１４３２１号公報
【発明の開示】
【発明が解決しようとする課題】
【０００４】
ところで、近年、電子機器により表示する動画像データは、ＮＴＳＣ等のテレビジョン
方式の規格とは異なり、様々なフレームレートを有するようになっている。また、動画像
データが、例えばＭＰＥＧ（Moving Picture Experts Group）の規格等により符号化され
ている場合、同一の動画像データを表示する場合でも、電子機器の復号化の処理速度の違
いや転送速度の違い等により、表示されるフレームレートが異なる場合がある。また、フ
レームレートが途中で変化する動画像データも存在する。
【０００５】
このように、表示しようとする動画像データのフレームレートが様々に変化する場合、
表示する電気光学装置のリフレッシュレートとの関係で、あるフレームの書き込み途中に
垂直同期信号が入力されてしまい、古いフレームと新しいフレームとが混合して表示され
てしまうことがある。このような、フレームの混合が発生すると、スムーズな動画像の表
示ができない、もしくはあるフレームが表示されずにとばされてしまうという問題があっ
た。
【０００６】
本発明は、上記問題点に鑑みてなされたものであり、スムーズな動画像の表示が可能な
電気光学装置用駆動回路及び駆動方法並びに電気光学装置及び電子機器を提供することを
目的とする。
【課題を解決するための手段】
【０００７】
本発明に係る電気光学装置用駆動回路は、複数の走査線と、複数のデータ線と、前記複
数の走査線と前記複数のデータ線との交差に対応して設けられた複数の画素とを具備する
電気光学装置の電気光学装置用駆動回路であって、前記電気光学装置に入力される動画像
データのフレーム周期を検出するフレーム周期検出手段と、前記フレーム周期と前記電気
光学装置の垂直走査周期とを比較する比較手段と、該比較手段による比較結果において、
前記垂直走査周期と前記フレーム周期とが等しくない場合には、前記電気光学装置の前記
垂直走査周期を制御して当該垂直走査周期を前記フレーム周期の１／ｎ（ｎは自然数）に
等しくする駆動周期制御手段と、を具備することを特徴とする。
【０００８】
また、本発明の電気光学装置用駆動方法は、複数の走査線と、複数のデータ線と、前記
複数の走査線と前記複数のデータ線との交差に対応して設けられた複数の画素とを具備す
る電気光学装置の電気光学装置用駆動方法であって、前記電気光学装置に入力される動画
像データのフレーム周期を検出する工程と、前記フレーム周期と前記電気光学装置の垂直
走査周期とを比較する工程と、前記垂直走査周期と、前記フレーム周期とが等しくない場
合に、前記電気光学装置の前記垂直走査周期が、前記フレーム周期の１／ｎ（ｎは自然数
）に等しくなるように制御する工程と、を具備することを特徴とする。
【０００９】
また、本発明の電気光学装置は、上記電気光学装置用駆動回路を具備することを特徴と
する。
【００１０】
また、本発明の電子機器は、上記電気光学装置を具備することを特徴とする。
【００１１】
本発明のこのような構成によれば、あるフレームデータを電気光学装置である液晶パネ
ルの各画素に書き込みをしている途中に、液晶パネルの書換えが開始してしまうことがな
い。よって、本実施形態によれば、新旧のフレームデータが、同一画面上に混合して表示
される、または、あるフレームデータが飛ばされて表示されることもないため、スムーズ
な動画像の再生を行うことが可能となる。
【００１２】
また、本発明は、前記フレーム周期検出手段は、前記動画像データに含まれる垂直同期
信号の周期から前記フレーム周期を検出することが好ましい。
【００１３】
このような構成によれば、容易にフレーム周期を検出することができる。
【００１４】
また、本発明は、前記電気光学装置に前記動画像データが入力されていない場合におい
ては、前記駆動周期制御手段は、前記電気光学装置の前記垂直走査周期を所定の周期であ
る基準垂直走査周期とし、前記電気光学装置に前記動画像データが入力されており、かつ
前記基準垂直走査周期が前記フレーム周期の１／ｎに等しい場合においては、前記駆動周
期数制御手段は、前記電気光学装置の前記垂直走査周期を、前記基準垂直走査周期とし、
前記電気光学装置に前記動画像データが入力されており、かつ前記基準垂直走査周期が前
記フレーム周期の１／ｎに等しくない場合においては、前記駆動周期制御手段は、前記基
準垂直走査周期をＴbとし、前記垂直走査周期をＴvとし、前記フレーム周期をＴfとした
場合に、次式  
ｍ・Ｔb＋α＝Ｔv＝Ｔf／ｎ；（ここで、ｍは自然数、αは０以外の値）  
を満たし、かつαの絶対値が最小となるｍを選択することにより、前記電気光学装置の
前記垂直走査周期を、前記フレーム周期の１／ｎに等しくすることが好ましい。
【００１５】
このような構成によれば、動画像の表示時において、垂直走査周期Ｔvを液晶の焼付き
が起き易い周期にまで長くすることなく、スムーズな動画像の表示を行うことができる。
また、本発明は、前記基準垂直走査周期は、１／４５ｓｅｃであることが好ましい。
【００１６】
このような構成によれば、静止画像の表示時における液晶パネルの消費電力の低減と、
動画像に比べて表示の機会の多い静止画像の表示においてフリッカの発生の抑制を行うこ
とができる。
【発明を実施するための最良の形態】
【００１７】
以下、本発明の実施の形態について図面を参照して説明する。図１は、本発明の実施形
態に係る電気光学装置１０の構成を示すブロック図である。図２は、液晶パネル１００の
全体構成を示す斜視図である。図３は、この液晶パネル１００をＸ方向に沿って破断した
場合の構成を示す断面図である。図４は、液晶パネル１００における画素１１６の詳細構
成を説明する説明図である。
【００１８】
本実施形態の電気光学装置１０は、図１に示すように、液晶パネル１００と制御回路４
００とを具備して構成される、液晶表示装置である。本実施形態では、液晶パネル１００
は、液晶に印加される電圧を制御するためのスイッチング素子として二端子型非線形素子
を用いたアクティブマトリクス型の透過型液晶パネルにより構成される。
【００１９】
液晶パネル１００は、図２及び図３に示すように、それぞれが透光性を有し、所定の間
隔だけ離間して配設された矩形状の素子基板２００と対向基板３００との間に、電気光学
物質である液晶１６０を挟持してなる。対向基板３００は、素子基板２００よりも一回り
小さく形成されており、素子基板２００と対向基板３００とは、対向基板３００の外縁部
に沿って配設された枠状のシール材１１０によって貼り合わせられている。シール材１１
０には、導電性粒子１１４が混入されており、該導電性粒子１１４は、素子基板２００と
対向基板３００との離間距離を一定に保つスペーサの役割を有している。液晶１６０は、
ＴＮ（Twisted Nematic）型の液晶材料により構成されており、該液晶１６０の配向状態
が変化することにより、液晶１６０を透過する光が変調される。
【００２０】
図１に示すように、液晶パネル１００は、素子基板２００上に列（Ｙ）方向に延在して
形成された複数のデータ線（セグメント電極）２１２と、対向基板３００上に行（Ｘ）方
向に延在して形成された複数の走査線（コモン電極）３１２と、該データ線２１２と走査
線３１２とが交差し互いに対向する箇所に対応して設けられた複数の画素１１６と、を具
備している。また、液晶パネル１００は、複数のデータ線２１２が電気的に接続されたデ
ータ線駆動回路２５０、及び複数の走査線３１２が電気的に接続された走査線駆動回路３
５０を具備している。
【００２１】
画素１１６は、液晶容量１１８と、二端子型スイッチング素子の一例であるＴＦＤ（Th
in Film Diode：薄膜ダイオード）２２０との直列接続からなる。液晶容量１１８は、後
述するように、対向電極として機能する走査線３１２と、矩形状の画素電極２３４との間
に、液晶１６０を挟持した構成となっている。なお、本実施形態では、液晶パネル１００
に透過型のＴＦＤアクティブマトリクス駆動方式の液晶パネルを用いているが、液晶パネ
ル１００は、半透過半反射型であっても、反射型であってもよい。また、液晶パネル１０
０は能動素子としてＴＦＴを用いたものであってもよい。
【００２２】
以下に、液晶パネル１０のより具体的な構成を説明する。なお、以下の説明において、
説明の便宜上、走査線３１２の総数を３２０本とし、データ線２１２の総数を２４０本と
して、電気光学装置１０を、縦３２０行×横２４０列のマトリクス型表示装置として説明
するが、本発明はこれに限定されるものではない。
【００２３】
図２及び図３に示すように、対向基板３００の、素子基板２００と対向する面上には、
所定の方向であるＸ方向（行方向）に延在する帯状電極たる複数の走査線３１２が形成さ
れている。該走査線３１２上には、配向膜３０８が形成されており、該配向膜３０８には
一定方向にラビング処理が施されている。ここで、複数の走査線３１２の一端は、それぞ
れシール材１１０の形成領域まで引き延ばされている。また、対向基板３００の、素子基
板２００とは反対側の面上には、偏光子１３１が貼り付けられており、その吸収軸が、配
向膜３０８へのラビング処理の方向に応じて設定されている。
【００２４】
一方、素子基板２００の対向基板３００に対向する面上には、Ｘ方向とは略直交するＹ
方向（列方向）に延在する複数のデータ線２１２と、該データ線に隣接する矩形状の複数
の画素電極２３４とが形成されている。データ線２１２は、一端がシール材１１０の形成
領域外にまで引き延ばされている。また、データ線２１２及び画素電極２３４上には、配
向膜２０８が形成されており、該配向膜２０８には、対向基板３００の配向膜３０８に施
された方向と略直行する方向にラビング処理が施されている。さらに、素子基板２００の
、対向基板３００とは反対側の面上には偏光子１２１が貼り付けられており、その吸収軸
が、配向膜２０８へのラビング処理の方向に応じて設定されている。
【００２５】
ここで、素子基板２００の対向基板３００に対向する面上には、前述の複数の走査線３
１２の一端のそれぞれに対向する位置に一端を有する、複数の配線３４２が形成されてい
る。該走査線３１２と配線３４２との間には、シール材１１０が介装されるものであるが
、該シール材１１０内には、走査線３１２と配線３４２とが対向するそれぞれの箇所にお
いて、導電性粒子１１４が、少なくとも１個以上介在するような割合にてシール材１１０
中に分散されている。このため、対向基板３００上に形成された走査線３１２は、当該導
電性粒子１１４を介して、素子基板２００上に形成された配線３４２に電気的に接続され
る（図３参照）。よって、走査線３１２は、電気的に見て、素子基板２００上のシール材
１１０の形成領域外に引き出された状態となっている。
【００２６】
また、液晶パネル１００における表示領域外には、図２に示すように、素子基板２００
の対向基板３００よりも張り出した２辺に、データ線２１２を駆動するためのデータ線駆
動回路２５０、及び、走査線３１２を駆動するための走査線駆動回路３５０が、それぞれ
ＣＯＧ（Chip On Glass）技術により実装されている。データ線駆動回路２５０は、デー
タ線２１２の一端に直接的に電気的に接続されている。一方、走査線駆動回路３５０は、
配線３４２及び導電性粒子１１４を介して、走査線３１２に電気的に接続されている。
【００２７】
走査線駆動回路３５０は、走査信号Ｙ１、Ｙ２、Ｙ３、…、Ｙ３２０を、それぞれ１行
目、２行目、３行目、…、３２０行目の走査線３１２に供給するものである。詳細には、
走査線駆動回路３５０は、３２０本の走査線３１２を後述するように水平走査周期毎に順
次１本ずつ選択するとともに、選択した走査線３１２には選択電圧を、他の走査線３１２
には非選択電圧を、それぞれ供給する動作を、垂直走査周期毎に繰り返すものである。
【００２８】
データ線駆動回路２５０は、走査線駆動回路３５０により選択された走査線３１２に位
置する画素１１６に対し、その表示内容（階調）に応じたデータ信号Ｘ１、Ｘ２、Ｘ３、
…、Ｘ２４０を、それぞれ１列目、２列目、３列目、…、２４０列目のデータ線２１２を
介して供給するものである。
【００２９】
また、データ線駆動回路２５０が実装される領域の外側近傍には、ＦＰＣ（Flexible P
rinted Circuit）基板１５０の一端が接合されている。ＦＰＣ基板１５０の他端は、図２
では図示しないが、図１における制御回路４００及び図示しない電源回路に接続される。
【００３０】
なお、図１におけるデータ線駆動回路２５０及び走査線駆動回路３５０は、図２とは異
なり、それぞれ液晶パネル１００の左側及び上側にそれぞれ位置しているが、これは、電
気的な構成を説明するための便宜上の措置に過ぎない。また、データ線駆動回路２５０及
び走査線駆動回路３５０を、それぞれ素子基板２００にＣＯＧ実装する替わりに、例えば
、ＴＡＢ（Tape Automated Bonding）技術を用いて、各ドライバや電源回路が実装された
ＴＣＰ（Tape Carrier Package）を、異方性導電膜により電気的及び機械的に接続する構
成としても良い。
【００３１】
次に、液晶パネル１００における画素１１６の詳細構成について、図４を参照して説明
する。図４では、説明理解のために、配向膜２０８、３０８及び偏光子１２１、１３１を
省略している。
【００３２】
図４に示すように、素子基板２００の対向基板３００と対向する面上には、ＩＴＯ（In
dium Tin Oxide）などの透明導電体からなる矩形状の画素電極２３４がＸＹ方向に行列状
（マトリクス状）に配列されている。行列状に配列された画素電極２３４のうち、同一列
に配列された画素電極２３４は、共通の１本のデータ線２１２に、それぞれＴＦＤ２２０
を介して共通接続されている。
【００３３】
ＴＦＤ２２０は、タンタル単体やタンタル合金などから形成され、かつ素子基板２００
の法線方向から見てデータ線２１２からＴ字状に枝分かれした第１の導電体２２２と、こ
の第１の導電体２２２を陽極酸化させた絶縁体２２４と、クロム等の第２の導電体２２６
とから構成された、導電体／絶縁体／導電体のサンドイッチ構造を有している。このため
、ＴＦＤ２２０は、電流−電圧特性が正負双方向にわたって非線形となるダイオードスイ
ッチング特性を有する。
【００３４】
一方、対向基板３００の素子基板２００に対向する面上には、ＩＴＯなどの透明導電体
からなり、データ線２１２とは略直交する行方向（Ｘ方向）に延在する走査線３１２が、
画素電極２３４に対向する位置に配列されている。これにより、走査線３１２は、画素電
極２３４の対向電極として機能する。
【００３５】
したがって、図１に示した液晶容量１１８は、データ線２１２と走査線３１２とが交差
する箇所において、走査線３１２と、画素電極２３４と、両者の間に挟持された液晶１６
０とによって構成されることになる。
【００３６】
このような構成において、データ線２１２に印加される電圧信号であるデータ信号にか
かわらず、ＴＦＤ２２０を強制的に導通状態（オン状態）にさせる電圧信号である走査信
号を走査線３１２に印加すると、当該走査線３１２及び当該データ線２１２の交差に対応
するＴＦＤ２２０がオン状態となり、オン状態となったＴＦＤ２２０に接続された液晶容
量１１８に、当該走査信号及び当該データ信号の電圧差に応じた電荷が蓄積される。電荷
蓄積後は、走査線３１２に非選択信号となる電圧を印加することで当該ＴＦＤ２２０をオ
フ状態とさせても、液晶容量１１８において電荷の蓄積が維持される。
【００３７】
液晶容量１１８では、蓄積される電荷量に応じて、液晶１６０の配向状態が変化し、こ
れにより液晶１６０を透過する光の偏光状態が変化する。したがって、偏光子１２１、１
３１を透過する光の透過率が蓄積された電荷量に応じて変化する。したがって、走査信号
が入力されたときのデータ信号の電圧を制御することによって、液晶容量１１８における
電荷の蓄積量を画素１１６毎に制御することができる。よって、液晶パネル１００におい
て、各画素１１６毎に所定の階調表示を行うことが可能となるのである。
【００３８】
なお、本実施形態における液晶パネル１００は、透過型の液晶パネルであるため、画素
１１６が形成された領域に均一な光を照射するバックライトユニットが配設されるもので
あるが、図示を省略している。
【００３９】
次に、上述した液晶パネル１００に接続される、制御回路４００について図５を参照し
て説明する。図５は、本実施形態の電気光学装置用駆動回路の概略構成を説明する説明図
である。  
本実施形態の電気光学装置用駆動回路は、上述の液晶パネル１００に配設されたデータ
線駆動回路２５０及び走査線駆動回路３５０からなるパネルドライバ４１０と、以下に説
明する制御回路４００とによって構成されるものである。
【００４０】
制御回路４００は、ＭＰＵ等からなるコントローラ４０１、フレーム周期検出手段であ
るＩＦ回路４０２、記憶手段であるＲＡＭ４０３、比較手段である差分回路４０４及び駆
動周期制御手段である発振回路４０５を具備して構成される。なお、制御回路４００は、
本実施形態では液晶パネル１００とは別体に構成されるものであるが、例えば液晶パネル
１００と一体に構成されるものであってもよい。
【００４１】
制御回路４００は、ＩＦ回路４０２を介して外部コントローラ６００に接続されている
。ここで、外部コントローラ６００とは、本実施形態の電気光学装置１０に表示する動画
像データＤinを生成する回路であり、電気光学装置１０を具備する電子機器に内蔵された
ＭＰＵやメモリ等からなる。外部コントローラ６００は、例えばＭＰＥＧ（Moving Pictu
re Experts Group）の規格により符号化され、フラッシュメモリ内に記憶されたデータを
復号化し、さらに該データを電気光学装置１０により表示可能な動画像データＤinに変換
して、制御回路４００へ送信する、いわゆるデコーダの機能を有するものである。
【００４２】
ここで、動画像データＤinは、動画像の各フレーム毎に液晶パネル１００の各画素１１
６に書き込むためのデータであるフレームデータＤfと、該フレームデータＤfを液晶パネ
ル１００の各画素１１６に書き込むタイミングを制御するための、垂直同期信号Ｖsync等
を含む同期データＣＬＫinとを有するものである。
【００４３】
フレーム周期検出手段であるＩＦ回路４０２は、外部コントローラから入力される動画
像データＤinから、フレーム周期Ｔfを検出し、コントローラ４０１に出力する。より具
体的には、ＩＦ回路４０２は、動画像データＤinに含まれた垂直同期信号Ｖsyncを検出し
、該垂直同期信号Ｖsyncの周期からフレーム周期Ｔfを算出する。
【００４４】
ここで、フレーム周期Ｔfとは、動画像データＤinの各フレーム間の時間であり、この
値の逆数が、いわゆるフレームレート（フレーム周波数）と称されるものである。なお、
動画像データＤinが、フレームレートを規定するデータを含むものであれば、ＩＦ回路４
０２は、当該データに基づいてフレーム周期Ｔfを算出してもよい。
【００４５】
記憶手段であるＲＡＭ４０３は、コントローラ４０１から受け渡されたフレームデータ
Ｄfを一時的に記憶し、またコントローラ４０１からの要求により記憶したフレームデー
タＤfを出力することができるメモリである。
【００４６】
駆動周期制御手段である発振回路４０５は、液晶パネル１００のパネルドライバ４１０
の駆動タイミングを制御するための出力同期信号ＣＬＫoutを生成し、パネルドライバ４
１０へ出力するための回路である。すなわち、液晶パネル１００の駆動は、発振回路４０
５により生成される出力同期信号ＣＬＫoutにより制御される。ここで、出力同期信号Ｃ
ＬＫoutは、液晶パネル１００の水平走査周期及び垂直走査周期Ｔvを規定する信号であり
、液晶パネル１００の画素１１６に書き込まれるフレームデータＤfは、該垂直走査周期
Ｔv毎に書換えられる。該垂直走査周期Ｔvの逆数は、いわゆる、液晶パネル１００のリフ
レッシュレートと称されるものである。
【００４７】
また、発振回路４０５は、コントローラ４０１に接続されており、コントローラ４０１
からの指令により、出力同期信号ＣＬＫoutの周期を所定の値に変更することができる。
すなわち、駆動周期制御手段である発振回路４０５は、液晶パネル１００の書換え周期で
ある垂直走査周期Ｔvを所定の値に変更することができる。
【００４８】
また、コントローラ４０１から、出力同期信号ＣＬＫoutの変更の指令がない状態（基
準状態）における、発振回路４０５により制御される液晶パネル１００の基準垂直走査周
期Ｔbは、１／４５ｓｅｃである。つまり、本実施形態では、発振回路４０５は、コント
ローラ４０１からの指令により、液晶パネル１００の垂直走査周期Ｔvを、１／４５ｓｅ
ｃから異なる値へと変化させる。
【００４９】
比較手段である差分回路４０４は、コントローラ４０１及び発振回路４０５に接続され
ており、コントローラ４０１から入力されるフレーム周期Ｔfと、発振回路４０５から入
力される垂直走査周期Ｔvとの差である差分結果Ｔdiffを算出し、その値をコントローラ
４０１に出力する回路である。  
また、図示しないが、液晶パネル１００及び制御回路４００には、それぞれに電源回路
が接続されている。
【００５０】
上述した、本実施形態の電気光学装置用駆動回路による電気光学装置１０の駆動方法に
ついて、図６を参照して以下に説明する。図６は、本実施形態の電気光学装置用駆動方法
を説明するフローチャートである。
【００５１】
まず、ステップＳ０１において、ＩＦ回路４０１により、入力される動画像データＤin
のフレーム周期Ｔfを検出する。
【００５２】
次に、ステップＳ０２において、差分回路４０４により、動画像データＤinのフレーム
周期Ｔfと、液晶パネル１００の基準垂直走査周期Ｔbとを比較する。ここで、コントロー
ラ４０１は、基準垂直走査周期Ｔbが、フレーム周期Ｔfの１／ｎ（ここで、ｎ＝１、２、
３、・・・、ｎは自然数）に等しいかどうかを判断する。基準垂直走査周期Ｔbが、フレ
ーム周期Ｔfの１／ｎに等しければステップＳ０３へ進み、等しくなければステップＳ０
４へ進む。
【００５３】
ステップＳ０３、すなわち基準垂直走査周期Ｔbが、フレーム周期Ｔfの１／ｎに等しい
場合には、液晶パネル１００の垂直走査周期Ｔvは、基準垂直走査周期Ｔbのままで変更さ
れない。ステップＳ０５へ進む。
【００５４】
一方、ステップＳ０４、すなわち、基準垂直走査周期Ｔbが、フレーム周期Ｔfの１／ｎ
に等しくない場合には、コントローラ４０１は、液晶パネル１００の垂直走査周期Ｔvを
、フレーム周期Ｔfの１／ｎに等しくなるように変更する。より具体的には、コントロー
ラ４０１は、次式  
ｍ・Ｔb＋α＝Ｔv＝Ｔf／ｎ；（ここで、ｍは自然数、αは０以外の値）  
を満たし、かつαの絶対値が最小となる条件で、上記ｍを算出し、液晶パネル１００の垂
直走査周期Ｔvを決定する。これにより、液晶パネル１００の垂直走査周期Ｔvは、フレー
ム周期Ｔfの１／ｎに等しくなる。ステップＳ０５へ進む。
【００５５】
次に、ステップＳ０５において、上記ｎの値が１であるかどうかを判断する。すなわち
、液晶パネル１００の垂直走査周期Ｔvが、フレーム周期Ｔfと等しいかどうかを判断する
。ｎ＝１であり、垂直走査周期Ｔvとフレーム周期Ｔfとが等しければ、ステップＳ０６へ
進む。ｎが１以外の値であり、垂直走査周期Ｔvとフレーム周期Ｔfとが等しくなければ、
ステップＳ０７へ進む。
【００５６】
ステップＳ０６では、コントローラ４０１は、発振回路４０５により生成される垂直走
査周期Ｔv及び水平走査周期を含んだ出力同期信号ＣＬＫoutに同期して、パネルドライバ
４１０にフレームデータＤfを出力する。このとき、液晶パネル１００の各画素１０６に
は、垂直走査周期Ｔv毎に順次新しいフレームデータＤfが書き込まれる。
【００５７】
すなわち、ステップＳ０６では、液晶パネル１００の書換えに同期してフレームデータ
Ｄfも更新されるものであり、動画像データＤinのフレームレートと、液晶パネル１０の
リフレッシュレートとが一致する。
【００５８】
一方、ステップＳ０７、すなわちｎが１以外の値であれば、コントローラ４０１は、フ
レームデータＤfをＲＡＭ４０３に記憶させる。ステップＳ０８に進む。
【００５９】
ステップＳ０８では、コントローラ４０１は、発振回路４０５により生成される垂直走
査周期Ｔv及び水平走査周期を含んだ出力同期信号ＣＬＫoutに同期して、パネルドライバ
４１０に、ＲＡＭ４０３に記憶されたフレームデータＤfをｎ回だけ繰り返し出力する。
このとき、液晶パネル１００の各画素１０６には、垂直走査周期Ｔvのｎ倍の周期毎に順
次新しいフレームデータＤfが書き込まれる。
【００６０】
すなわち、ステップＳ０８では、液晶パネル１００の画素１１６のｎ回の書換えに毎に
フレームデータＤfが更新されるものであり、液晶パネル１０のリフレッシュレートは、
動画像データＤinのフレームレートのｎ倍となる。
【００６１】
なお、外部コントローラ６００から入力される画像データが静止画像である場合は、液
晶パネル１００は、基準垂直走査周期Ｔbで駆動される。
【００６２】
上述した本実施形態の電気光学装置用駆動方法の、動作例を以下に説明する。なお、以
下において、液晶パネル１００の基準垂直走査周期Ｔbは、上述の通り、１／４５ｓｅｃ
である。
【００６３】
例えば、動画像データＤinのフレームレートが、４５ｆｐｓ（frame per second；１秒
あたりのフレーム数）であった場合、ＩＦ回路４０２により、フレーム周期Ｔfは１／４
５ｓｅｃと算出される。この場合、Ｔf＝Ｔb、かつｎ＝１であるため、液晶パネル１００
の垂直走査周期Ｔvは、基準垂直走査周期Ｔbのまま変更されず、１／４５ｓｅｃとされる
。つまり、液晶パネル１００のリフレッシュレートは４５Ｈｚとなる。
【００６４】
また、例えば、動画像データＤinのフレームレートが、１５ｆｐｓであった場合、ＩＦ
回路４０２により、フレーム周期Ｔfは１／１５ｓｅｃと算出される。この場合、Ｔf＝３
・Ｔbであるためｎ＝３となる。したがって、液晶パネル１００の垂直走査周期Ｔvは、基
準垂直走査周期Ｔbのまま変更されず、１／４５ｓｅｃとされ、フレームデータＤfは、同
一のフレームデータＤfが、液晶パネル１００の画素１１６に３回だけ繰り返して書き込
まれる。この場合も、液晶パネル１００のリフレッシュレートは４５Ｈｚとなる。
【００６５】
また、例えば、動画像データＤinのフレームレートが、２０ｆｐｓであった場合、ＩＦ
回路４０２により、フレーム周期Ｔfは１／２０ｓｅｃと算出される。この場合、ｍ＝２
としたときに、αの値はα＝１／１８０となり最小となる。したがって、Ｔv＝２・Ｔb＋
１／１８０＝Ｔf／２であり、液晶パネル１００の垂直走査周期Ｔvは１／４０ｓｅｃに変
更され、かつフレームデータＤfは、同一のフレームデータＤfが、液晶パネル１００の画
素１１６に２回だけ繰り返して書き込まれる。この場合は、液晶パネル１００のリフレッ
シュレートは４０Ｈｚとなる。
【００６６】
以上に説明した、本実施形態の電気光学装置用駆動回路及び駆動方法並びに電気光学装
置によれば、液晶パネル１００の垂直走査周期Ｔvは、入力される動画像データＤinのフ
レーム周期Ｔfの１／ｎ（ｎは自然数）に等しくなるように変更される。すなわち、液晶
パネル１００のリフレッシュレートは、入力される動画像データＤinのフレームレートの
整数倍とされる。
【００６７】
したがって、本実施形態によれば、あるフレームデータＤfを液晶パネル１００の各画
素１１６に書き込みをしている途中で、液晶パネル１００の書換えが開始してしまうこと
がない。よって、本実施形態によれば、新旧のフレームデータＤfが、同一画面上に混合
されて表示されることがなく、また、あるフレームデータＤfがとばされて表示されるこ
ともないため、スムーズな動画像の再生を行うことが可能となるのである。
【００６８】
また、本実施形態では、電気光学装置１０に入力される動画像データＤinのフレーム周
期Ｔfを検出し、該フレーム周期Ｔfを基準に液晶パネル１００の垂直走査周期Ｔvを制御
している。このため、動画像データＤinのフレーム周期Ｔfが変化したとしても、そのフ
レーム周期Ｔfの変化に追随して液晶パネル１００の垂直走査周期Ｔvを変化させることが
できるため、本実施形態によれば、常にスムーズな動画像の再生を行うことができる。
【００６９】
さらに、発振回路４０５の回路素子のばらつきにより、液晶パネル１００の基準垂直走
査周期Ｔbが、１／４５ｓｅｃから外れてしまったとしても、同様に液晶パネルの垂直走
査周期Ｔv変化させることで、動画像の表示をスムーズに行うことができる。すなわち、
本実施形態では、発振回路４０５の微調整を必要とせず、短時間かつ安価に制御回路４０
０を製造することが可能となる。
【００７０】
ところで、一般に、液晶パネルのリフレッシュレートの値を４５Ｈｚよりも低くした場
合、液晶パネルに用いられる液晶の焼付きが発生しやすくなる。また、液晶パネルのリフ
レッシュレートが４５Ｈｚ未満の場合、フリッカが発生し、液晶パネルの表示品位が低下
してしまう。また、一方で、フリッカの発生を避けるために液晶パネルのリフレッシュレ
ートを６０Ｈｚまで上げた場合、消費電力の増加を招いてしまうという問題があった。
【００７１】
ここで、本実施形態では、液晶パネル１００の基準垂直走査周期Ｔbを、１／４５ｓｅ
ｃとし、動画像データＤinが入力された場合にのみ、垂直走査周期Ｔvを変化させるよう
にしている。すなわち、電気光学装置１０で静止画像を表示する場合には、液晶パネル１
００の垂直走査周期Ｔvは１／４５ｓｅｃに、つまりリフレッシュレートは４５Ｈｚに固
定される。
【００７２】
よって、上記問題点について、本実施形態によれば、静止画像の表示時における液晶パ
ネル１００のリフレッシュレートを４５Ｈｚとすることにより、消費電力の低減と、動画
像に比べて表示の機会の多い静止画像の表示においてフリッカの発生の抑制を行うことが
できるのである。
【００７３】
また、本実施形態では、動画像の表示時においては、液晶パネル１００の垂直走査周期
Ｔvを、動画像データＤinのフレーム周期Ｔfに対して１対１に変化させるのではなく、フ
レーム周期Ｔfの１／ｎと等しくしている。このようにすることにより、動画像の表示時
において、垂直走査周期Ｔvが液晶１６０の焼付きが起きやすくなる周期にまで長くなる
ことがないため、焼き付が発生することなくスムーズな動画像の表示を行うことができる
。
【００７４】
なお、液晶材料の改良に伴い、リフレッシュレートを常時４５Ｈｚ未満とした場合でも
、焼付きやフリッカの発生が抑制されるようになった場合には、基準垂直走査周期Ｔbを
、１／４５ｓｅｃよりも長い周期として、本発明を適用すれば、より消費電力を抑えるこ
とが可能となることは言うまでもない。
【００７５】
なお、上述の本実施形態の電気光学装置は、例えば、ＳＴＮ（スーパーＴＮ）モード、
Ｄ−ＳＴＮ（ダブル−ＳＴＮ）モード、ＶＡ（垂直配向）モード等の動作モードを採用し
た液晶パネルや、片側の基板に、一対の電極が形成される液晶パネル、例えばＩＰＳ（In
-Plane Switching）等であっても構わない。
【００７６】
次に、本発明に係る電気光学装置を適用可能な電子機器の具体例について図７を参照し
て説明する。  
本発明に係る電気光学装置を、携帯電話機の表示部に適用した例について説明する。図
７は、この携帯電話機の構成を示す斜視図である。図７に示すように、携帯電話機１２０
０は、複数の操作ボタン１２０１のほか、受話口１２０２、送話口１２０３とともに、本
発明に係る電気光学装置を適用した表示部１２０４を備える。
【００７７】
なお、本発明に係る電気光学装置が適用される電子機器としては、図７に示される携帯
電話機の他にも、メディアプレイヤー、デジタルスチルカメラ、ノートパソコン、液晶テ
レビ、ビューファインダ型（またはモニタ直視型）のビデオレコーダ、カーナビゲーショ
ン装置、ページャ、電子手帳、ＰＤＡ、電卓、ワードプロセッサ、ワークステーション、
テレビ電話、ＰＯＳ端末、タッチパネルを備えた機器等などが挙げられる。
【００７８】
また、本発明は、本実施形態に係るアクティブマトリクス駆動の液晶パネルの他に、電
子ペーパなどの電気泳動装置、ＥＬ（Electro-Luminescence）表示装置、電子放出回路素
子を備えた装置（Field Emission Display及びSurface-Conduction Electron-Emitter Di
splay）等の電気光学装置の技術分野に属するものである。
【００７９】
本発明は、上述した実施形態に限られるものではなく、請求の範囲及び明細書全体から
読み取れる発明の要旨或いは思想に反しない範囲で適宜変更可能であり、そのような変更
を伴う電気光学装置用駆動回路及び駆動方法並びに電気光学装置及び電子機器もまた本発
明の技術的範囲に含まれるものである。
【図面の簡単な説明】
【００８０】
【図１】本発明の実施形態に係る電気光学装置の構成を示すブロック図である。
【図２】液晶パネルの構成を示す斜視図である。
【図３】液晶パネルの構成を示す断面図である。
【図４】液晶パネルにおける画素の構成を示す部分破断斜視図である。
【図５】電気光学装置用駆動回路の概略構成を説明する説明図である。
【図６】電気光学装置用駆動方法を説明するフローチャートである。
【図７】携帯電話機の構成を示す斜視図である。
【符号の説明】
【００８１】
１０  電気光学装置、  １００  液晶パネル、  ４００  制御回路、  ４０１  コント
ローラ、  ４０２  ＩＦ回路、  ４０３  ＲＡＭ、  ４０４  差分回路、  ４０５  発振
回路、  ４１０  パネルドライバ、  ６００  外部コントローラ
【図１】
2007298801.tif 000003
【図２】
2007298801.tif 000004
【図３】
2007298801.tif 000005
【図４】
2007298801.tif 000006
【図５】
2007298801.tif 000007
【図６】
2007298801.tif 000008
【図７】
2007298801.tif 000009